(57)【特許請求の範囲】
【請求項１】
ペプチド脂質と金属とで形成された金属配位型有機ナノチューブ状構造体の分散液に、過酸化物を添加することで形成された、ナノチューブ状構造を形成するペルオキソ錯体。
【請求項２】
前記ペプチド脂質が、下記一般式（Ｉ）
ＲＣＯ（ＮＨ−ＣＨＲ’−ＣＯ）ｍＯＨ        （Ｉ）
（式中、Ｒは炭素数６〜２４の炭化水素基、Ｒ’はアミノ酸側鎖、ｍは１〜１０の整数を表す。）又は
下記一般式（II）
Ｈ（ＮＨ−ＣＨＲ’−ＣＯ）ｍＮＨＲ        （II）
（式中、Ｒは炭素数７〜２５の炭化水素基、Ｒ’はアミノ酸側鎖、ｍは１〜１０の整数を表す。）
で表わされるペプチド脂質である請求項１記載のペルオキソ錯体。
【請求項３】
前記一般式（Ｉ）中のＲが、炭素数１１又は１３の炭化水素基を表すか、又は前記一般式（II）中のＲが、炭素数１４又は１６の炭化水素基を表す、請求項２に記載のペルオキソ錯体。
【請求項４】
前記一般式（Ｉ）又は（II）中のｍが、２又は３である、請求項２に記載のペルオキソ錯体。
【請求項５】
前記一般式（Ｉ）又は（II）中のＲ’がＨである、請求項２に記載のペルオキソ錯体。
【請求項６】
前記金属が二核錯体を形成する銅である、請求項１〜５のいずれか１項に記載のペルオキソ錯体。
【請求項７】
前記過酸化物が過酸化水素である、請求項１〜６のいずれか１項に記載のペルオキソ錯体。
【請求項８】
前記ナノチューブ状構造の平均外径が１０〜５００ｎｍ、平均長さが０．１〜１００μｍである、請求項１〜７のいずれか１項に記載のペルオキソ錯体。
【請求項９】
請求項１〜８のいずれか１項に記載のペルオキソ錯体を有効成分とする酸化反応用触媒。
【請求項１０】
前記酸化反応が、アルコールからケトン又はカルボン酸を生じる反応であることを特徴とする、請求項９に記載の酸化反応用触媒。
【請求項１１】
請求項１〜８のいずれか１項に記載のペルオキソ錯体を酸化反応用触媒として用いて基質化合物を酸化することを特徴とする、有機化合物の製造方法。
【請求項１２】
前記基質化合物がアルコールであり、触媒反応によりケトンあるいはカルボン酸を製造する、請求項１１に記載の製造方法。
【発明の詳細な説明】
【技術分野】
【０００１】
本発明は、これまでにないナノチューブ状の構造と大気中での安定性をもつペルオキソ錯体、及びこれらの酸化反応用触媒としての利用に関するものである。
【背景技術】
【０００２】
酸素、活性酸素、過酸を結合することが出来る金属ポルフィリン及び銅、鉄などの二核金属錯体は、ヘモグロビン、ヘモシアニン、チロシナーゼなどのタンパク質や酵素反応の中間体として学術的に重要なだけでなく、有機化合物における合成用触媒や太陽電池における酸化還元電極触媒としての利用など工業的にも重要な金属錯体であり、以前から盛んに研究開発が行われている（例えば、非特許文献１参照）。
しかしながら、通常、これらの金属錯体の中でも特に高い反応活性をもつ過酸を結合したペルオキソ錯体は極低温で安定なものがほとんどであり、常温、大気中で安定なペルオキソ錯体はあまり知られていない（特許文献１，２）。
【０００３】
また、有機物の酸化は工業的に重要な合成反応の一つであり、これまでに多くの酸化触媒が開発されている。多くの場合、反応活性の高い酸化マンガンや酸化クロムなどが用いられているが、化学量論的に原料化合物と同じ量が触媒として必要となることが多く、コストの面や廃棄物処理の面からも問題が多くある。そのため、少ない金属使用量で同等以上の触媒活性をもち、再利用が可能な新たな酸化触媒が必要とされており、様々な固体触媒の研究開発が行われている。現在、このような酸化触媒として、酸化マンガンなどの金属以外に、二核金属錯体（特許文献３）、金ナノクラスター（特許文献４）などが報告されている。
【０００４】
一方、本発明者らは、長鎖脂肪酸のカルボキシル基とオリゴペプチドのＮ端を結合させたペプチド脂質および長鎖アミンとオリゴペプチドのＣ端を結合させたペプチド脂質を、水中あるいはアルコールと水の混合液中で遷移金属と共存させることにより、金属錯体からなる有機ナノチューブが形成することを見いだしている（特許文献５，６）。また、ナノチューブ中の金属イオンを各種の反応により金属化した有機／金属ハイブリッドナノチューブが形成することも見いだしている（特許文献７）。
【先行技術文献】
【特許文献】
【０００５】
【特許文献１】特開２００４−２５６４１９号公報
【特許文献２】特開２００８−２１４２７８号公報
【特許文献３】特開２００９−１３６８０７号公報
【特許文献４】特開２００９−２１３９９３号公報
【特許文献５】特開２００４−２５０７９７号公報
【特許文献６】特開２００９−２３３８２５号公報
【特許文献７】国際特許公開２００８／９６８０６
【非特許文献】
【０００６】
【非特許文献１】Chemical Review, Vol.104-4, 347-1200 (2004)
【発明の概要】
【発明が解決しようとする課題】
【０００７】
大気中で安定なペルオキソ錯体を作るためには、複素環式化合物を複数結合したポルフィリンやトリスピリジルに代表される複雑な多座配位子を、更に高度に修飾することが必要とされることから、配位子の合成および錯体の合成が難しいものが多く、報告例は少ない。
また、現在開発されている酸化触媒はそのまま溶液中で均一触媒としても使用可能であるが、酸化反応により形成した製造物と分離するのに手間が掛かることから、通常はゼオライトなどの比表面積の高い無機系多孔材料を基材として用いることが必要となる。
【０００８】
本発明は、以上のような事情に鑑みてなされたものであって、極めて簡易な配位子をもち、常温、大気中で安定なペルオキソ錯体とその酸化反応用触媒としての利用方法を提供することを目的とするものである。また、本発明は、ペルオキソ錯体を酸化反応用触媒として用いた場合、酸化反応により形成された製造物との分離が容易なものを提供することを目的とするものである。
【課題を解決するための手段】
【０００９】
本発明者らは、上記課題を解決するため鋭意検討した結果、前述のペプチド脂質を金属と混合することで形成して得られた金属配位型有機ナノチューブに注目し、これに、過酸化物を添加することでペルオキソ錯体が形成しうるという知見を得た。さらに、得られた錯体は、ろ過により単離しても常温、大気中で安定であることを見出し、本発明を完成するに至ったものである。
すなわち、本発明者らは、ペプチド脂質を金属と混合することで形成した金属配位型有機ナノチューブをアセトニトリルなどの溶媒に分散し、過酸化水素などの過酸化物を添加することで、これまでに得られていないナノチューブ状という高い比表面積をもつ、常温、大気中で安定なペルオキソ錯体が得られることを見いだしたものである。また同時に、得られたペルオキソ錯体を酸化反応用触媒として用いて、アルコール、アルカン、アルキルベンゼンをケトンやカルボン酸に酸化できることを見出した。
【００１０】
本発明は、これらの知見に基づいて完成に至ったものであり、以下のとおりのものである。
［１］  ペプチド脂質と金属とで形成された金属配位型有機ナノチューブ状構造体の分散液に、過酸化物を添加することで形成された、ナノチューブ状構造を形成するペルオキソ錯体。
［２］  前記ペプチド脂質が、下記一般式（Ｉ）
ＲＣＯ（ＮＨ−ＣＨＲ’−ＣＯ）ｍＯＨ        （Ｉ）
（式中、Ｒは炭素数６〜２４の炭化水素基、Ｒ’はアミノ酸側鎖、ｍは１〜１０の整数を表す。）又は
下記一般式（II）
Ｈ（ＮＨ−ＣＨＲ’−ＣＯ）ｍＮＨＲ        （II）
（式中、Ｒは炭素数７〜２５の炭化水素基、Ｒ’はアミノ酸側鎖、ｍは１〜１０の整数を表す。）
で表わされるペプチド脂質である上記［１］のペルオキソ錯体。
［３］  前記一般式（Ｉ）中のＲが、炭素数１１又は１３の炭化水素基を表すか、又は前記一般式（II）中のＲが、炭素数１４又は１６の炭化水素基を表す、上記［２］のペルオキソ錯体。
［４］  前記一般式（Ｉ）又は（II）中のｍが、２又は３である、上記［２］のペルオキソ錯体。
［５］  前記一般式（Ｉ）又は（II）中のＲ’がＨである、上記［２］のペルオキソ錯体。
［６］  前記金属が二核錯体を形成する銅である、上記［１］〜［５］のいずれかのペルオキソ錯体。
［７］  前記過酸化物が過酸化水素である、上記［１］〜［６］のいずれかのペルオキソ錯体。
［８］  前記ナノチューブ状構造の平均外径が１０〜５００ｎｍ、平均長さが０．１〜１００μｍである、上記［１］〜［７］のいずれかのペルオキソ錯体。
［９］  上記［１］〜［８］のいずれかのペルオキソ錯体を有効成分とする酸化反応用触媒。
［１０］  前記酸化反応が、アルコールからケトン又はカルボン酸を生じる反応であることを特徴とする、上記［９］の酸化反応用触媒。
［１１］  上記［１］〜［８］のいずれかのペルオキソ錯体を酸化反応用触媒として用いて基質化合物を酸化することを特徴とする、有機化合物の製造方法。
［１２］  前記基質化合物がアルコールであり、触媒反応によりケトンあるいはカルボン酸を製造する、上記［１１］の製造方法。
【発明の効果】
【００１１】
本発明によれば、ペプチド脂質と金属が自己集合により形成するナノチューブ状構造に過酸化物を添加することで、大気中で安定なナノチューブ状構造を形成するペルオキソ錯体を容易に提供することが出来る。また、本発明のペルオキソ錯体は、ろ過により単離することができるので、本発明のペルオキソ錯体を酸化触媒として用いた場合には、酸化反応により形成された製造物との分離が容易なものを提供することができる。したがって、本発明の大気中で安定なナノチューブ状構造を形成するペルオキソ錯体は、例えば、ファインケミカル工業分野、医薬、化粧品分野などにおける有機化合物合成のための不均一触媒として利用可能である。
【図面の簡単な説明】
【００１２】
【図１】実施例２で得られた金属配位型有機ナノチューブの走査電子顕微鏡写真。
【図２】実施例３で得られた大気中で安定なペルオキソ錯体の走査電子顕微鏡写真。
【発明を実施するための形態】
【００１３】
本発明のペルオキソ錯体に用いるペプチド脂質は、長鎖炭化水素基を有するペプチド脂質、すなわち一般式（I）ＲＣＯ（ＮＨ−ＣＨＲ’−ＣＯ）ｍＯＨ及び一般式（II）Ｈ（ＮＨ−ＣＨＲ’−ＣＯ）ｍＮＨＲ  で表わされるペプチド脂質である。
この一般式（Ｉ）中、Ｒ’はアミノ酸側鎖であり、このアミノ酸としては、天然及び非天然のアミノ酸が挙げられ、好ましくはグリシンである。より好ましくはグリシンが二つ以上連続した部分が一ヶ所以上あると良い。
上記一般式（Ｉ）中、Ｒは炭素数が６〜２４の炭化水素基、好ましくは炭素数２以下の側鎖が付いてもよい直鎖炭化水素である。この炭化水素基は飽和であっても不飽和であってもよく、不飽和の場合には３個以下の二重結合を含むことが好ましい。Ｒの炭素数は６〜２４、好ましくは１０〜１６、より好ましくは１１もしくは１３である。また上記一般式（II）中、Ｒは炭素数が７〜２５の炭化水素基、好ましくは炭素数２以下の側鎖が付いてもよい直鎖炭化水素である。この炭化水素基は飽和であっても不飽和であってもよく、不飽和の場合には３個以下の二重結合を含むことが好ましい。Ｒの炭素数は７〜２５、好ましくは１１〜１７、より好ましくは１４もしくは１６である。
【００１４】
また、本発明のペルオキソ錯体における金属は、アルカリ金属（Ｌｉ、Ｎａ、Ｋ、Ｒｂ、Ｃｓ、Ｆｒ）以外の全ての金属化合物を用いることが出来るが、望ましくは、銅、鉄、マンガン、コバルト、ニッケル、バナジウム、モリブデン等の二核錯体を形成する金属である。これらを単品で用いても良いし、複数種を混合して用いても良いが、好ましくは単品であり、更に好ましくは、銅である。
【００１５】
次に、このペプチド脂質を用いて金属錯体型有機ナノチューブの製造方法について述べる。
有機溶媒にペプチド脂質を懸濁し、金属塩の溶液と混合することで、金属配位型有機ナノチューブが得られる。この有機溶媒としては、沸点が１２０℃以下であるアルコール類を用いることができるが、好ましくはメタノールあるいはエタノールである。アルコール類は単独でもよいし、２種以上の混合であってもよい。得られたナノチューブはろ過などにより容易に分離し、通常の自然乾燥や減圧乾燥により乾燥させることが出来る。
【００１６】
このようにして得られた金属配位型有機ナノチューブの乾燥粉末を溶媒中に分散し、過酸化物を添加した後、ろ過などの方法により溶媒と分離した後、自然乾燥あるいは減圧乾燥することで、大気中で安定なナノチューブ状構造を形成するペルオキソ錯体を得ることが出来る。本発明で得られるペルオキソ錯体は、平均外径が１０−５００ｎｍ、平均長さが０．１−１００μｍであるナノチューブ状の構造体である。
【００１７】
本発明に用いる過酸化物は、有機パーオキサイド、有機ハイドロパーオキサイド、有機過酸又はこれらの混合物などを用いることが出来るが、好ましくは、過酸化水素である。
【００１８】
本発明で得られるペルオキソ錯体は、酸化反応用触媒として用いることができる。
例えば、アルコールから、酸化反応によりケトン又はカルボン酸を製造する際に、得られたペルオキソ錯体を溶媒に分散し、原料であるアルコール類と酸化剤である過酸化物を添加することで、その酸化物であるケトン類やカルボン酸類を得ることが出来る。
ここで用いる過酸化物としては、有機パーオキサイド、有機ハイドロパーオキサイド、有機過酸又はこれらの混合物、或いは、過酸化水素が用いられる。
【００１９】
金属配位型有機ナノチューブやナノチューブ構造を形成するペルオキソ錯体の乾燥粉末を分散させる溶媒としては、水、アセトニトリル、THF、アセトンなど、原料となるアルコール類と混合が可能な溶媒が使用可能である。
更に、この溶媒類に、芳香族炭化水素類、パラフィン類、塩化パラフィン類、塩化オレフィン類、塩化芳香族炭化水素類、エーテル類、ケトン類、エステル類、含窒素化合物の１種以上を混合した混合溶媒を用いてもよい。
【実施例】
【００２０】
次に、本発明を実施例によりさらに詳細に説明するが、本発明は、これらの例によって何ら限定されるものではない。
【００２１】
（実施例１）
［Ｎ−（グリシルグリシン）トリデカンカルボキサミドの合成］
グリシルグリシンベンジルエステル塩酸塩０．５７ｇ（２．２ミリモル）にトリエチルアミン０．３１ｍｌ（２．２ミリモル）を加えエタノール１０ｍｌに溶解した。ここにトリデカンカルボン酸０．４６ｇ（２ミリモル）を含むクロロホルム溶液５０ｍｌを加えた。この混合溶液を−１０℃で冷却しながら１−エチル−３−（３−ジメチルアミノプロピル）カルボジイミド塩酸塩０．４２ｇ（２．２ミリモル）を含むクロロホルム溶液２０ｍｌを加え、徐々に室温に戻しながら一昼夜撹拌した。反応溶液を１０重量％クエン酸水溶液５０ｍｌ、４重量％炭酸水素ナトリウム水溶液５０ｍｌ、純水５０ｍｌで洗浄した後、減圧下で濃縮し白色固体（Ｎ−（グリシルグリシンベンジルエステル）トリデカンカルボキサミド）０．５７ｇ（収率６５％）を得た。得られた化合物０．４３ｇ（１ミリモル）
をジメチルホルムアミド１００ｍｌに溶解し、触媒として１０重量％パラジウム／炭素を０．５ｇ加え、接触水素還元を行った。６時間後、セライトろ過した後、減圧下で濃縮することにより、Ｎ−（グリシルグリシン）トリデカンカルボキサミド０．２１ｇ（収率６０％）を得た。
融点：158℃
元素分析（C18H34N2O4）
計算値（％）C63.13、H10.01、N8.18
実測値（％）C62.09、H9.65、N8.25
【００２２】
（実施例２）
実施例１で得られたＮ−（グリシルグリシン）トリデカンカルボキサミドのエタノール懸濁液（８．６ｇ、１２５ｍｌ）と硝酸銅（II）の水溶液（５．５ｇ、１２５ｍｌ）を室温大気中で混合すると、平均外径が100nm程度の銅配位型有機ナノチューブが形成した。図１に、得られた銅配位型有機ナノチューブの走査電子顕微鏡写真を示す。
【００２３】
（実施例３）
実施例２で得られた銅配位型有機ナノチューブ（０．４１ｇ）をアセトニトリル１００ｍｌに懸濁し、３０％過酸化水素水１．４ｍｌを加えると、懸濁状態のまま淡青色から淡青緑色に変化した。ろ過および減圧乾燥により淡青緑色の沈殿０．４ｇが得られた。電子顕微鏡観察により、実施例２で得られる銅配位型有機ナノチューブとほとんど同じサイズのチューブ状構造であることを明らかになった。図２は、その走査電子顕微鏡写真である。
また、紫外可視吸収スペクトルの測定により、ペルオキソ錯体であることを明らかにした。
【００２４】
（実施例４）
実施例３で得られた大気中で安定なナノチューブ状構造を形成するペルオキソ錯体（０．００８ｇ）をアセトニトリル５ｍｌに分散し、モル比で２００倍量のシクロヘキサノール（０．４ｇ）と、酸化剤として過酸化水素水０．０１４ｍｌを加え、６０℃で５時間撹拌すると、１４％のシクロヘキサノールがシクロヘキサノンに酸化されたことがガスクロマトグラフィーによる同定によりわかった。
【００２５】
（実施例５）
実施例３で得られた大気中で安定なナノチューブ状構造を形成するペルオキソ錯体（０．００８ｇ）をアセトニトリル５ｍｌに分散し、モル比で２００倍量のシクロヘキサノール（０．４ｇ）と、酸化剤として７０％のtert-ブチルヒドロペルオキシド水溶液０．００２ｍｌを加え、６０℃で５時間撹拌すると、２２％のシクロヘキサノールがシクロヘキサノンに酸化されたことがガスクロマトグラフィーによる同定によりわかった。
【００２６】
（実施例６）
実施例３で得られた大気中で安定なナノチューブ状構造を形成するペルオキソ錯体（０．００８ｇ）をアセトニトリル５ｍｌに分散し、モル比で２００倍量のベンジルアルコール（０．４３ｇ）と、酸化剤として過酸化水素水０．０１４ｍｌを加え、６０℃で５時間撹拌すると、２０％のベンジルアルコールがベンジルメチルケトンに、５％のベンジルアルコールがフェニル酢酸に酸化されたことがガスクロマトグラフィーによる同定によりわかった。
【００２７】
（実施例７）
実施例３で得られた大気中で安定なナノチューブ状構造を形成するペルオキソ錯体（０．００８ｇ）をアセトニトリル５ｍｌに分散し、モル比で２００倍量のシクロヘキサン（０．３３ｇ）と、酸化剤として過酸化水素水０．０１４ｍｌを加え、６０℃で５時間撹拌すると、１６％のシクロヘキサンがシクロヘキサノンに、１４％のシクロヘキサンがシクロヘキサノールに酸化されたことがガスクロマトグラフィーによる同定によりわかった。
【００２８】
（実施例８）
実施例３で得られた大気中で安定なナノチューブ状構造を形成するペルオキソ錯体（０．００８ｇ）をアセトニトリル５ｍｌに分散し、モル比で２００倍量のジフェニルメタン（０．６７ｇ）と、酸化剤として７０％のtert-ブチルヒドロペルオキシド水溶液０．００２ｍｌを加え、６０℃で５時間撹拌すると、４３％のジフェニルメタンがベンゾフェノンに酸化されたことがガスクロマトグラフィーによる同定によりわかった。
【図１】
0005435570.tif 000002
【図２】
0005435570.tif 000003